(57)【要約】      （修正有）【課題】フィン間や空気路における水分の凍結を防止して、熱交換器の試験を正確に行うことができる風洞試験方法及び風洞試験装置を提供する。【解決手段】風洞試験装置１は、試験対象物たる熱交換器Ｔが設置される設置部３が設けられたダクト２や、ダクト２内に気流を発生させる送風機５、ダクト２内に気体を供給する気体供給機構１０、ダクト２内の気体に熱を与えるヒータ１５、一端部が前記ダクト２に接続された排気管２５、両端部が前記ダクト２に接続されたバイパス管２７、ダクト２、排気管２５、取入管２６及びバイパス管２７における気流の経路を画定する５つの開閉弁２８、２９、３０、３１、３２、前記送風機５、気体供給機構１０、ヒータ１５及び温度調節機構２０の作動を制御するとともに、前記５つの開閉弁２８、２９、３０、３１、３２の開閉を制御する制御装置３５などから構成されている。【選択図】図１
2015090334.tif 000002
【特許請求の範囲】
【請求項１】
閉回路を形成したダクトと、
前記ダクト内に配設され、試験対象物たる熱交換器が設置される設置部と、
前記ダクト内に配設され、該ダクト内に一定方向の気流を発生させる送風機と、
前記ダクト内に配設され、乾燥気体を前記ダクト内に供給する気体供給部と、
前記ダクト内とダクト外とを連通するように、該ダクトに接続された排気管と、
前記ダクトの、前記送風機における前記気流の流れ方向下流側且つ前記設置部における前記気流の流れ方向上流側に位置する部分と、前記ダクトの、前記送風機の流れ方向上流側且つ前記設置部の流れ方向下流側に位置する部分とを連結するバイパス管とから構成され、
前記ダクトの、前記設置部の流れ方向上流側に、第１開閉弁が設けられ、
前記バイパス管に、第２開閉弁が設けられ、
前記排気管に、第３開閉弁が設けられた風洞試験装置を用いて、前記熱交換器の風洞試験を行う方法であって、
前記設置部に熱交換器を設置した状態で、前記第１開閉弁、第２開閉弁及び第３開閉弁を開くとともに、気体供給部から乾燥気体の供給を開始し、送風機を作動させ、ダクト内及びバイパス管内の空気を乾燥気体に置換する置換工程と、
前記第１開閉弁及び第３開閉弁を閉じ、気体供給部から低温乾燥気体を供給して、ダクト内及びバイパス管内に低温乾燥気体の気流を発生させる予備冷却工程と、
前記第１開閉弁を開くとともに、前記第２開閉弁を閉じて、低温乾燥気体をダクト内で循環させる試験工程とを行うことを特徴とする風洞試験方法。
【請求項２】
前記風洞試験装置は、前記ダクト内にヒータが設けられており、
前記予備冷却工程において、前記ヒータを作動させ、前記試験工程におけるダクト内の低温乾燥気体が前記熱交換器から受け取る熱に相当する熱を、前記ダクト内の低温乾燥気体に与えるようにし、
前記試験工程において、前記ヒータを停止させるようにすることを特徴とする請求項１記載の風洞試験方法。
【請求項３】
閉回路を形成したダクトと、
前記ダクト内に配設され、試験対象物たる熱交換器が設置される設置部と、
前記ダクト内に配設され、該ダクト内に一定方向の気流を発生させる送風機と、
前記ダクト内に配設され、乾燥気体を前記ダクト内に供給する気体供給部を具備した気体供給機構と、
前記ダクト内とダクト外とを連通するように、該ダクトに接続された排気管と、
前記ダクトの、前記送風機における前記気流の流れ方向下流側且つ前記設置部における前記気流の流れ方向上流側に位置する部分と、前記ダクトの、前記送風機の流れ方向上流側且つ前記設置部の流れ方向下流側に位置する部分とを連結するバイパス管と、
前記ダクトの、前記設置部の流れ方向上流側に設けられた第１開閉弁と、
前記バイパス管に設けられた第２開閉弁と、
前記排気管に設けられた第３開閉弁と、
前記送風機、前記気体供給機構及び前記３つの開閉弁の作動を制御する制御装置とから構成され、
前記制御装置は、
前記第１開閉弁、第２開閉弁及び第３開閉弁を開くとともに、前記気体供給機構を作動させて気体供給部から乾燥気体の供給を開始し、前記送風機を作動させ、ダクト内及びバイパス管内の空気を乾燥気体に置換する処理と、
前記第１開閉弁及び第３開閉弁を閉じ、前記気体供給機構を作動させて前記気体供給部から低温乾燥気体の供給を開始し、ダクト内及びバイパス管内に低温乾燥気体の気流を発生させる処理と、
前記第１開閉弁を開くとともに、前記第２開閉弁を閉じて、低温乾燥気体をダクト内で循環させる処理とを行うことを特徴とする風洞試験装置。
【請求項４】
前記ダクト内にヒータが設けられており、
前記制御装置は、
前記低温乾燥気体の気流を発生させる処理において、前記ヒータを作動させて、前記低温乾燥気体をダクト内で循環させる処理におけるダクト内の低温乾燥気体が前記熱交換器から受け取る熱に相当する熱を、前記ダクト内の低温乾燥気体に与え、
前記低温乾燥気体をダクト内で循環させる処理において、前記ヒータを停止させることを特徴とする請求項３記載の風洞試験装置。
【発明の詳細な説明】
【技術分野】
【０００１】
本発明は、熱交換器の風洞試験を行う方法及びこれに用いる風洞試験装置に関する。
【背景技術】
【０００２】
風洞試験とは、例えば、熱交換器などの動作及び性能の確認や、自動車や航空機などの空気力学的特性を調査するために行われる試験であり、このような風洞試験に用いる装置として、実開平４−４２５５号公報や特開平３−３１７３５号公報に開示された装置などが知られている。
【０００３】
一般的に、上記風洞試験に用いる装置は、内部に空気が流れるダクト、このダクト内に配設され、気流を発生させる送風機、この送風機における空気の流れ方向下流側に配設され、ダクト内を流れる空気の温度を調節する空調機、並びに、送風機や空調機の作動を制御する制御装置などを備えている。
【０００４】
そして、上記構成を備えた装置においては、まず、ダクト内の所定の位置、例えば、空調機の前記流れ方向下流側に試験対象物を設置する。その後、送風機によってダクト内に所定の流速の気流を発生させるとともに、空調機でダクト内の空気の温度を所定の温度に調節した状態で試験を行い、上述したように、熱交換器の動作及び性能の確認などを行う。
【先行技術文献】
【特許文献】
【０００５】
【特許文献１】実開平４−４２５５号公報
【特許文献２】特開平３−３１７３５号公報
【発明の概要】
【発明が解決しようとする課題】
【０００６】
ところで、近年の熱交換器は、小型化や高性能化が強く求められており、フィン間隔や流路を狭小化することによって、これを実現するようにしているが、フィン間隔や流路を狭小化することにより、当該熱交換器の動作や性能を試験する際に問題が生じる場合がある。
【０００７】
例えば、航空機が寒冷地にて長時間駐機した場合、熱交換器の一種であるオイルクーラ内のオイルが凍結又は高粘度状態となるため、エンジン始動時にはほとんどオイルが流れなくなり、エンジン内のオイルが冷却されなくなるため、その温度が上昇し続けて、オイルによる潤滑を必要とするエンジンギヤ部に焼き付きが生じてしまうことがある。このため、オイルクーラは、低温状態からオイルの流量が定格流量となるまでに要する時間が規定されており、その能力を確認するために凍結油除去試験が行われる。
【０００８】
上記凍結油除去試験などのように低温環境下での使用を想定した試験を行うに当たっては、ダクト内を流れる空気の温度を０℃以下に設定して試験を行う必要がある。このような場合、ダクト内の空気に含まれる水分が熱交換器のフィン間や空気路内で凍結してしまうため、フィン間や空気路内を空気が正常に流れなくなり、正確な試験結果を得ることができなくなるという問題が発生する。
【０００９】
本発明は以上の実情に鑑みなされたものであり、狭小化したフィン間や空気路への水分の凍結を防止して、熱交換器の試験を正確に行うことができる風洞試験方法及びこれに用いる風洞試験装置の提供を、その目的とする。
【課題を解決するための手段】
【００１０】
上記課題を解決するための本発明は、
閉回路を形成したダクトと、
前記ダクト内に配設され、試験対象物たる熱交換器が設置される設置部と、
前記ダクト内に配設され、該ダクト内に一定方向の気流を発生させる送風機と、
前記ダクト内に配設され、乾燥気体を前記ダクト内に供給する気体供給部と、
前記ダクト内とダクト外とを連通するように、該ダクトに接続された排気管と、
前記ダクトの、前記送風機における前記気流の流れ方向下流側且つ前記設置部における前記気流の流れ方向上流側に位置する部分と、前記ダクトの、前記送風機の流れ方向上流側且つ前記設置部の流れ方向下流側に位置する部分とを連結するバイパス管とから構成され、
前記ダクトの、前記設置部の流れ方向上流側に、第１開閉弁が設けられ、
前記バイパス管に、第２開閉弁が設けられ、
前記排気管に、第３開閉弁が設けられた風洞試験装置を用いて、前記熱交換器の風洞試験を行う方法であって、
前記設置部に熱交換器を設置した状態で、前記第１開閉弁、第２開閉弁及び第３開閉弁を開くとともに、気体供給部から乾燥気体の供給を開始し、送風機を作動させ、ダクト内及びバイパス管内の空気を乾燥気体に置換する置換工程と、
前記第１開閉弁及び第３開閉弁を閉じ、気体供給部から低温乾燥気体を供給して、ダクト内及びバイパス管内に低温乾燥気体の気流を発生させる予備冷却工程と、
前記第１開閉弁を開くとともに、前記第２開閉弁を閉じて、低温乾燥気体をダクト内で循環させる試験工程とを行う風洞試験方法に係る。
【００１１】
また、上記風洞試験方法は、
閉回路を形成したダクトと、
前記ダクト内に配設され、試験対象物たる熱交換器が設置される設置部と、
前記ダクト内に配設され、該ダクト内に一定方向の気流を発生させる送風機と、
前記ダクト内に配設され、乾燥気体を前記ダクト内に供給する気体供給部を具備した気体供給機構と、
前記ダクト内とダクト外とを連通するように、該ダクトに接続された排気管と、
前記ダクトの、前記送風機における前記気流の流れ方向下流側且つ前記設置部における前記気流の流れ方向上流側に位置する部分と、前記ダクトの、前記送風機の流れ方向上流側且つ前記設置部の流れ方向下流側に位置する部分とを連結するバイパス管と、
前記ダクトの、前記設置部の流れ方向上流側に設けられた第１開閉弁と、
前記バイパス管に設けられた第２開閉弁と、
前記排気管に設けられた第３開閉弁と、
前記送風機、前記気体供給機構及び前記３つの開閉弁の作動を制御する制御装置とから構成され、
前記制御装置は、
前記第１開閉弁、第２開閉弁及び第３開閉弁を開くとともに、前記気体供給機構を作動させて気体供給部から乾燥気体の供給を開始し、前記送風機を作動させ、ダクト内及びバイパス管内の空気を乾燥気体に置換する処理と、
前記第１開閉弁及び第３開閉弁を閉じ、前記気体供給機構を作動させて前記気体供給部から低温乾燥気体の供給を開始し、ダクト内及びバイパス管内に低温乾燥気体の気流を発生させる処理と、
前記第１開閉弁を開くとともに、前記第２開閉弁を閉じて、低温乾燥気体をダクト内で循環させる処理とを行う風洞試験装置によって好適に実施することができる。
【００１２】
上記風洞試験装置によれば、まず、熱交換器に対して試験を実施する前に、全ての開閉弁を開き、ダクト内に乾燥気体を供給するとともに、送風機を作動させる。これにより、ダクト内及びバイパス管内の空気が乾燥気体によって押し出されるように排気管を介してダクト外に排除され、ダクト内及びバイパス管内の空気が乾燥気体に置換される。このようにすることで、ダクト内及びバイパス管内の水分を限りなく少ない状態にすることができる。尚、「乾燥気体」とは、水蒸気の凝結が始まる温度が試験条件温度以下の気体である。
【００１３】
ついで、第１開閉弁及び第３開閉弁を閉じて、ダクト内における設置部が設けられた部分に気体が流れないようにした状態で、気体供給部からの低温乾燥気体の供給を開始する。これにより、設置部が設けられている部分を除くダクト内及びバイパス管内に所定温度の乾燥気体の気流を発生させる。
【００１４】
しかる後、第１開閉弁を開くとともに、第２開閉弁を閉じて、バイパス管内に気体が流れないようにした状態で、ダクト内に低温乾燥気体を循環させ、熱交換器の動作や性能試験を実施する。
【００１５】
このように、本発明に係る風洞試験方法及びこれに用いる風洞試験装置においては、ダクト内及びバイパス管内の気体を乾燥気体に予め置換して、当該ダクト内及びバイパス管内の水分を限りなく少ない状態にしている。したがって、低温条件下での試験において、熱交換器のフィン間や空気路内で水分が凍結し、気体の流れが妨げられるといった問題の発生を防止することができる。
【００１６】
更に、本発明に係る風洞試験方法及び風洞試験装置では、試験工程の前に、予め設置部が設けられている部分を除くダクト内及びバイパス管内に所定温度の乾燥気流を発生させる予備冷却工程を行うようにしているため、即座に安定した条件下で試験工程を行うことができる。
【００１７】
ここで、試験工程においては、熱交換器からダクト内の低温乾燥気体へと熱が与えられるため、予備冷却工程において所定温度に調節した気流の温度が変化して、試験工程において再度所定の温度に調節しなければならない場合がある。
【００１８】
そこで、上記風洞試験方法及び風洞試験装置においては、前記ダクト内にヒータに設け、前記予備冷却工程において、前記ヒータを作動させ、前記試験工程におけるダクト内の低温乾燥気体が前記熱交換器から受け取る熱に相当する熱を、前記ダクト内の低温乾燥気体に与えるようにし、前記試験工程において、前記ヒータを停止させるようにすることが好ましい。尚、試験工程でヒータを停止させることにより、当該試験工程においてはヒータから低温乾燥気体に熱が与えられないようになる。
【００１９】
このようにすれば、予備冷却工程において、試験工程で低温乾燥気体が熱交換器から受け取る熱に相当する熱を、予め低温乾燥気体に与えた状態で、気流を所定の温度に設定しているので、続く試験工程において、熱交換器から低温乾燥気体へと熱が与えられても、予備冷却工程において調節した気流の温度変化を抑えることができ、試験を即座に開始することができるようになる。
【発明の効果】
【００２０】
以上のように、本発明に係る風洞試験方法及びこれに用いる風洞試験装置によれば、ダクト内の水分を限りなく少なくした状態で、当該ダクト内に低温乾燥気体の気流を発生させるようにしており、これにより、熱交換器のフィン間や空気路内における水分の凍結を防止することができ、試験を適切に実施することができる。
【図面の簡単な説明】
【００２１】
【図１】本実施形態に係る風洞試験装置の概略構成を示した説明図である。
【図２】本実施形態に係る風洞試験方法の手順を説明するための説明図である。
【図３】本実施形態に係る風洞試験方法の手順を説明するための説明図である。
【図４】本実施形態に係る風洞試験方法の手順を説明するための説明図である。
【図５】他の実施形態に係る風洞試験方法の手順を説明するための説明図である。
【発明を実施するための形態】
【００２２】
以下、本発明の具体的な実施の形態につき、図面に基づいて説明する。
【００２３】
図１に示すように、本例の風洞試験装置１は、管内に試験対象物たる熱交換器Ｔが設置される設置部３が設けられ、平面視閉回路に配設されたダクト２と、当該ダクト２内に気流を発生させる送風機５と、前記ダクト２内に気体を供給する気体供給機構１０と、前記ダクト２内の気体に熱を与えるヒータ１５と、前記ダクト２内の気体の温度を調節する温度調節機構２０と、一端部が前記ダクト２に接続された排気管２５と、同様に、一端部が前記ダクト２に接続された取入管２６と、両端部が前記ダクト２に接続されたバイパス管２７と、ダクト２、排気管２５、取入管２６及びバイパス管２７における気流の経路を画定する５つの開閉弁２８、２９、３０、３１、３２と、前記送風機５、気体供給機構１０、ヒータ１５及び温度調節機構２０の作動を制御するとともに、前記５つの開閉弁２８、２９、３０、３１、３２の開閉を制御する制御装置３５とから構成されている。
【００２４】
前記送風機５は、図１中における右上の隅に配設されており、制御装置３５による制御の下、ダクト２内に図１中の矢印方向の気流を発生させるようになっている。
【００２５】
前記気体供給機構１０は、前記ダクト２内に向けて窒素ガスを供給する気体供給部１１と、当該気体供給部１１に配管を介して接続され、内部に液体窒素が貯蓄されたタンク１２と、前記配管に設けられ、前記制御装置３５によってその開閉が制御される制御弁１３とから構成されており、前記気体供給部１１は、前記送風機５よりもダクト２内に発生する気流の流れ方向下流側（以下、単に「下流側」という）且つ前記設置部３よりも気流の流れ方向上流側（以下、単に「上流側」という）に配設されている。尚、この気体供給部１１は、液体窒素を原料とした窒素ガスの供給量を調整することにより、例えば、−４０℃以下の低温の窒素ガスをダクト２内に供給することもでき、また、０℃以上の窒素ガスをダクト２内に供給することもできる。
【００２６】
前記ヒータ１５は、制御装置３５による制御の下、ダクト２内を流れる気体に熱を与える。尚、前記ヒータ１５は、前記設置部３よりも前記下流側に配設されている。
【００２７】
前記温度調節機構２０は、前記ダクト２内を流れる気体を加熱する又は冷却する温度調節用熱交換器２１と低温流体及び高温流体を前記温度調節用熱交換器２１に供給する流体供給部２２などから構成されており、前記温度調節用熱交換器２１は、前記送風機５と気体供給部１１との間に配設されている。この温度調節機構２０は、前記制御装置３５による制御の下、ダクト２に発生する気流の温度を調節する機構であり、当該風洞試験装置１を開放型風洞試験装置として用いる場合に主に使用する。
【００２８】
前記排気管２５は、前記ダクト２における、前記設置部３の下流側且つ前記ヒータ１５の上流側に位置する部分に一端部が接続されており、当該一端側には、第３開閉弁３０が設けられている。また、前記取入管２６は、前記ダクト２における、前記ヒータ１５と送風機５との間に位置する部分に一端部が接続されており、当該一端部側には、第５開閉弁３２が設けられている。
【００２９】
前記バイパス管２７は、前記ダクト２における、前記気体供給部１１の下流側且つ前記設置部３の上流側に位置する部分にその一端部が接続され、前記設置部３の下流側且つ前記排気管２５の上流側の位置（言い換えれば、設置部３の下流側且つ送風機５の上流側の位置）に他端部が接続されており、当該バイパス管２７の一端部側には、第２開閉弁２９が設けられている。
【００３０】
また、前記ダクト２には、前記設置部３の上流側且つ前記バイパス管２７の一端部が接続された部分の下流側に第１開閉弁２８が設けられ、前記ヒータ１５の上流側且つ前記取入管２６が接続された部分の下流側に第４開閉弁３１が設けられている。
【００３１】
次に、図２〜図４を参照して、航空機などに取り付けられる熱交換器Ｔ（オイルクーラ）に対し、本例の風洞試験装置１を用いて凍結油除去試験を行う過程について説明する。
【００３２】
本例の風洞試験装置１によれば、まず、予めオイルを満たした熱交換器Ｔを別途準備したチャンバで覆い、液体窒素によって所定の温度まで冷却する。尚、この工程は、熱交換器Ｔの温度を試験条件に合わせるために行うものであり、凍結油除去試験においては、例えば、−４０℃程度まで冷却する。
【００３３】
次に、ダクト２内及びバイパス管２７内から水分を除去するために、当該ダクト２内及びバイパス管２７内の空気を乾燥した気体に置き換える置換工程を実施する。
【００３４】
具体的に言えば、まず、前記第１開閉弁２８、第２開閉弁２９及び第４開閉弁３１を全開状態、第３開閉弁３０を２５％開状態にするとともに、第５開閉弁３２を閉じて、ダクト２内及びバイパス管２７内全体に気体が流通可能な状態とする（図２参照）。
【００３５】
ついで、前記送風機５を作動させるとともに、前記気体供給機構１０の制御弁１３を開き、気体供給部１１からダクト２内に窒素ガスの供給を開始し、この状態で所定時間以上（例えば、１０分間以上）保持する。尚、この際、ダクト２内及びバイパス管２７内の温度が０℃以下（空気中の水分が凍らない程度の温度）にならないように、窒素ガスの供給量を調整する。これにより、ダクト２内及びバイパス管２７内の空気が窒素ガスに置換され、当該ダクト２内及びバイパス管２７内の水分を限りなく少ない状態にすることができる。
【００３６】
ついで、試験工程を行う前に、所定温度の低温窒素ガスの気流を生成する予備冷却工程を実施する。
【００３７】
即ち、まず、前記第１開閉弁２８及び第３開閉弁３０を閉じるとともに、第２開閉弁２９及び第４開閉弁３１の開状態並び第５開閉弁３２の閉状態を維持し、ダクト２内に設けられた設置部３への気体の流路を遮断した状態にする（図３参照）。ついで、ダクト２内及びバイパス管２７内に所定風量の気流が生じるように、送風機５を作動させるとともに、発生する気流の温度が所定温度（例えば、−５５℃程度）となるように、その供給量を調整した上で気体供給部１１からダクト２内へ低温の窒素ガスを供給する。
【００３８】
ここで、試験工程においては、熱交換器Ｔから窒素ガスへと熱が与えられるため、予備冷却工程で調節した気流の温度が変化して、再度の温度調節が必要となる場合がある。そこで、本例の風洞試験方法における予備冷却工程においては、試験工程で熱交換器Ｔから窒素ガスへと与えられる熱を、予めヒータ１５によって窒素ガスに与えるようにして、この状態で気流の温度が所定温度になるように、窒素ガスを供給するようにしている。このようにすれば、試験工程で熱交換器Ｔから窒素ガスへと熱が与えられた場合における気流の温度変化を抑えることができ、再度の温度調節をすることなく試験を即座に開始することができる。
【００３９】
そして、予備冷却工程おいて、気流の温度が所定温度に達した後、試験工程を実施する。
【００４０】
試験工程においては、まず、熱交換器Ｔへのオイルの供給（例えば、１００℃のオイルを０．７ＭＰａで供給）を開始する。また、前記第１開閉弁２８を開くとともに、第２開閉弁２９を閉じることで、前記設置部３への気体の流路を開放するとともに、バイパス管２７内への気体の流路を遮断し、予備冷却工程において発生させた気流を所定流量（例えば、２０ｋｇ／ｍｉｎ）で設置部３へと導き、熱交換器Ｔに対する風洞試験を行う（図４参照）。尚、熱交換器Ｔにオイルが流れ始めたのを確認できた時点で、前記ヒータ１５の作動を停止させるようにする。
【００４１】
試験終了後は、第２開閉弁２９を開き、ヒータ１５を作動させて、ダクト２内及びバイパス管２７内を十分に温めた後、送風機５の作動を停止する。
【００４２】
このように、本例の風洞試験方法及び風洞試験装置１においては、予めダクト２内の空気を窒素ガスに置換して、ダクト２内の水分を限りなく少なくすることができる。したがって、０℃以下の温度条件においても、水分の凍結に起因する問題の発生を防止した状態で試験を行うことができる。また、試験工程を行う前に、予めダクト２内に所定温度の気流を発生させるようにしているため、即座に試験工程を行うことができる。更に、予備冷却工程において、試験工程で熱交換器Ｔから窒素ガスへと与えられるのと略等しい熱を、ヒータ１５により窒素ガスに与えた状態で所定温度の気流を発生させるようにしているため、試験工程での窒素ガスの温度変化を抑えることができる。
【００４３】
以上、本発明の一実施形態について説明したが、本発明が採り得る具体的な態様は何らこれに限定されるものではない。
【００４４】
上例では、風洞試験装置１を用いて、凍結油除去試験を行う態様を示したが、これに限られるものではなく、当該風洞試験装置１は、熱交換効率を確認する試験などにも用いることもできる。また、上例においては、乾燥気体として窒素ガスを用いたが、他の気体として炭酸ガスや水蒸気の凝結温度（露点温度）が試験条件以下の空気などを用いることもできる。
【００４５】
尚、上例では、風洞試験装置１を所謂循環型として使用する例を示したが、実施する試験の条件に合わせて、開放型として使用することもできる。
【００４６】
風洞試験装置１を開放型として使用する場合には、図５に示すように、第１開閉弁２８、第３開閉弁３０及び第５開閉弁３２を開状態、第２開閉弁２９及び第４開閉弁３１を閉状態にする。そして、取入管２６を介してダクト２内に大気を取り込み、温度調節機構２０の温度調節用熱交換器２１によって、気体の温度を所定温度に調節した上で、設置部３へと気体を導き、設置部３を通過した気体を、排気管２５を介して外部に排出する構成とする。
【００４７】
ダクト２内の温度を常温以上に設定して行う試験において、常温以上の気体が熱交換器のオイルと熱交換することにより、温度が上昇する（例えば、８０℃に上昇する）ような場合に、循環型として使用すると、温度上昇した気体を常温まで冷却するためのエネルギーが必要となるが、上述したように開放型として使用することにより、温度上昇した気体を外部に排出するとともに、常温の大気をダクト２内に取り込むことができるため、エネルギー消費を抑えることができる。
【符号の説明】
【００４８】
１    風洞試験装置
２    ダクト
３    設置部
５    送風機
１０  気体供給機構
１１  気体供給部
１５  ヒータ
２０  温度調節機構
２１  温度調節用熱交換器
２２  流体供給部
２５  排気管
２６  取入管
２７  バイパス管
２８  第１開閉弁
２９  第２開閉弁
３０  第３開閉弁
３１  第４開閉弁
３２  第５開閉弁
３５  制御装置
【図１】
2015090334.tif 000003
【図２】
2015090334.tif 000004
【図３】
2015090334.tif 000005
【図４】
2015090334.tif 000006
【図５】
2015090334.tif 000007